(57)【要約】
【課題】カメラ本体側面の折り畳み式かつ外向き反転可能な液晶モニターを見て被写体を後方から確認することができる水中ハウジング用モニターアタッチメントを得る。
【解決手段】折り畳み式かつ外向き反転可能な液晶モニター２を有するビデオカメラ３を防水保護する水中ハウジングに固定するアタッチメント１は、ボックス型のフレームであって、横断面で見た台形形状の底辺側のフレーム側面に液晶モニター２にほぼ対応する形状の側面開口部８を設け、フレームの後側壁６内面にはカメラ本体の底面には直交するがカメラ本体側面に対して鋭角の角度をなすよう液晶モニターに対向させた第１平面ミラー９を設け、後側壁６内面に対向するフレームの前側壁７内面にはカメラ本体側面に直交するが手前かつ上向きの第２平面ミラー１０を設け、頂壁には第２平面ミラー１０を見通すことができる頂面開口部を設けたフレームにより構成する。
【選択図】図３
0003099562.tif 000002
【実用新案登録請求の範囲】
【請求項１】
　折り畳み式かつ外向き反転可能な液晶モニターをカメラ本体の側面に横付けしたビデオカメラを防水保護する水中ハウジングに固定するモニターアタッチメントにおいて、側面をほぼ台形に包囲するボックス型のフレームであって、横断面で見た台形形状の底辺側のフレーム側面に側面外向き状態にした液晶モニターにほぼ対応する形状の側面開口部を設け、前記フレームの後側壁内面には前記カメラ本体の底面には直交するが前記カメラ本体側面に対して鋭角の角度をなすよう前記液晶モニターに対向させた第１平面ミラーを設け、前記後側壁内面に対向する前記フレームの前側壁内面には前記カメラ本体側面に直交するが手前かつ上向きの第２平面ミラーを設け、頂壁には前記第２平面ミラーを見通すことができる頂面開口部を設けたフレームにより構成したことを特徴とするビデオカメラの水中ハウジング用モニターアタッチメント。
【請求項２】
　前記フレームの底面を開口部のない底壁により閉鎖した請求項１記載のビデオカメラの水中ハウジング用モニターアタッチメント。
【請求項３】
　横断面で見た台形形状の底辺側のフレーム側面に、水中ハウジングの側面に対して平行なフランジを設け、このフランジにマジックテープ（登録商標）の一方の半部を取り付け、水中ハウジングの対応位置に設けたマジックテープ（登録商標）の他方の半部に取り付け、マジックテープ（登録商標）半部相互の絡み合いによって固定する請求項１記載のビデオカメラの水中ハウジング用モニターアタッチメント。
【請求項４】
　横断面で見た台形形状の底辺側のフレーム側面に、水中ハウジングの側面に対して平行なフランジを設け、このフランジを水中ハウジングの側面にＬ字状に設けた案内レールに掛合して固定する請求項１又は２記載のビデオカメラの水中ハウジング用モニターアタッチメント。
【考案の詳細な説明】
【技術分野】
【０００１】
　本考案は、折り畳み式かつ外向き反転可能な液晶モニターをカメラ本体の側面に横付けしたビデオカメラを防水保護する水中ハウジング（いわゆる「マリンパック」又は「マリンケース」）に固定するモニターアタッチメントに関するものである。
【背景技術】
【０００２】
　従来の水中ハウジングはビデオカメラ全体をカバーするため、折り畳み式かつ外向き反転可能な液晶モニターをカメラ本体の側面に横付けするビデオカメラであっても、低コストにする上で側面の液晶モニターではなく、カメラを持つ人に対向する光学式ビューファインダーで被写体を確認することに限定した水中ハウジングがあった。また、折り畳んだ液晶モニターを手前向きに展開し、横方向に張り出した状態にしてハウジング内にビデオカメラを収容する水中ハウジングがあった（例えば、非特許文献１参照。）。更に、水中ハウジング自体の後面に液晶モニターを組み込んだ水中ハウジングがあった（例えば、非特許文献２参照）。
【非特許文献１】日本ビクター（株）／デジタルビデオカメラＧＲ‐ＤＶＰ９／商品情報アクセサリー、[平成１５年７月１２日検索]、インターネット＜URL:http://www.jvc-victor.co.jp/dvmain/dvp9/acc.html＞
【非特許文献２】ソニー（株）／ハンディカム専用アクセサリー／マリンパック＆関連製品／ＭＰＫ‐ＤＶＦ５Ｍ、[平成１５年７月１２日検索]、インターネット＜URL:http://www.ecat.sony.co.jp/camera/handycamacc/acc/index.cfm?PD=2272&KM=MPK-DVF5Mhtml＞
【考案の開示】
【考案が解決しようとする課題】
【０００３】
　しかし、水中では水中ゴーグルをしているため、小さい光学式ビューファインダーで被写体を確認することは困難であり、非特許文献１又は非特許文献２に記載の水中ハウジングは、横に張り出した液晶モニターを収容するための張り出し部分を形成したり、水中ハウジング自体に別途液晶モニターを設けるため、コストがかかり、従って、価格も高いものであった。
【０００４】
　従って、本考案の目的は、カメラ本体後面の光学式ビューファインダーよりも大型で、カメラ本体側面の折り畳み式かつ外向き反転可能な液晶モニターを見て被写体を確認することができるビデオカメラの水中ハウジング用モニターアタッチメントを得るにある。
【課題を解決するための手段】
【０００５】
　この目的を達成するため、本考案ビデオカメラの水中ハウジング用モニターアタッチメントは、側面をほぼ台形に包囲するボックス型のフレームであって、横断面で見た台形形状の底辺側のフレーム側面に側面外向き状態にした液晶モニターにほぼ対応する形状の側面開口部を設け、前記フレームの後側壁内面には前記カメラ本体の底面には直交するが前記カメラ本体側面に対して鋭角の角度をなすよう前記液晶モニターに対向させた第１平面ミラーを設け、前記後側壁内面に対向する前記フレームの前側壁内面には前記カメラ本体側面に直交するが手前かつ上向きの第２平面ミラーを設け、頂壁には前記第２平面ミラーを見通すことができる頂面開口部を設け、底面を底壁により閉鎖したフレームによって構成したことを特徴とする。
【考案の効果】
【０００６】
　本考案によれば、第１平面ミラーが側面開口部を経て液晶モニターに映し出される画像の左右反転した像を結像し、第１平面ミラーに対向する第２平面ミラーは第１平面ミラーに映った左右反転した像を再度左右反転して結像する。従って、カメラを持ってこの第２平面ミラーを頂面開口部を通して後方上側から覗く人は、液晶モニター画像と同一向きの正像を見ることができる。また、このようなアタッチメントは、非特許文献１及び非特許文献２に記載のような水中ハウジングよりも極めて安価に製造することができる。
【考案を実施するための最良の形態】
【０００７】
　本考案の好適な実施の形態においては、横断面で見た台形形状の底辺側のフレーム側面に、水中ハウジングの側面に対して平行なフランジを設け、このフランジにマジックテープ（登録商標）の一方の半部を取り付け、水中ハウジングの対応位置に設けたマジックテープ（登録商標）の他方の半部に取り付けて固定する横断面で見た台形形状の底辺側のフレーム側面に、水中ハウジングの側面に対して平行なフランジを設け、このフランジにマジックテープ（登録商標）の一方の半部を取り付け、水中ハウジングの対応位置に設けたマジックテープ（登録商標）の他方の半部に取り付けて固定する。
【０００８】
　更に、本考案の好適な他の実施の形態においては、横断面で見た台形形状の底辺側のフレーム側面に、水中ハウジングの側面に対して平行なフランジを設け、このフランジを水中ハウジングの側面にＬ字状に設けた案内レールに掛合して固定する。
【０００９】
　次に、図面につき本考案の好適な実施例を詳細に説明する。
【実施例１】
【００１０】
　図１に本考案の好適な実施例のビデオカメラの水中ハウジング用モニターアタッチメント（以下「アタッチメント」と略称する）１と、折り畳み式かつ外向き反転可能な液晶モニター２をカメラ本体の側面に横付けしたビデオカメラ３と、このビデオカメラ３を収容して防水保護する水中ハウジング４（２点鎖線の仮想線で示す）とを示す。このアタッチメント１を、図２に示すように水中ハウジング４の液晶モニター側の側面に固定する。
【００１１】
　この固定は任意の方法で行うことができる。例えば、アタッチメント１の水中ハウジング４に当接する側の側面に設けた外方に突出するフランジ５に、図示はしないが、マジックテープ（登録商標）の一方の半部を取り付け、水中ハウジングの対応位置にマジックテープ（登録商標）の他方の半部に取り付け、マジックテープ（登録商標）半部相互の絡み合いによって固定する。また、フランジ５を水中ハウジングの側面にＬ字状に設けた案内レール（図示せず）に掛合して固定することもできる。
【００１２】
　アタッチメント１は、図３に横断面で示すように、側面をほぼ台形に包囲するボックス型のフレームとする。好適には、横断面で見た台形形状の底辺側の側面に対して、後側壁６の辺が鋭角の角度をなし、前側壁７の辺が直交する直角台形形状にする。
【００１３】
　横断面で見た台形形状の底辺側のフレーム側面に側面外向き状態にした液晶モニター２にほぼ対応する形状の側面開口部８を設ける。フレームの後側壁６の内面には鋭角の角度をなして液晶モニター２に対向させた第１平面ミラー９を設け、後側壁６の内面に対向するフレームの前側壁７の内面にはカメラ本体側面に直交するが手前かつ上向きの第２平面ミラー１０を設ける。更に、頂壁１１には第２平面ミラー１０を見通すことができる頂面開口部１２を設ける。図４に示す実施例ではフレームは底面を開放しているが、底面を底壁により閉鎖したフレームとすることもできる。
【００１４】
　本考案によれば、第１平面ミラー９が側面開口部８を経て液晶モニター２に映し出される画像の左右反転した像を結像し、第１平面ミラー９に対向する第２平面ミラー１０は第１平面ミラー９に映った左右反転した像を再度左右反転して結像する。従って、カメラを持ってこの第２平面ミラー１０を頂面開口部１２を通して後方上側から覗く人は、液晶モニター画像と同一向きの正像を見ることができる。
【産業上の利用可能性】
【００１５】
　本考案アタッチメントは、横付け外向き反転可能な大型の液晶モニターを有するビデオカメラで水中撮影撮影をするため、ビデオカメラを収納して防水保護する水中ハウジング用の補助器具である。カメラを持つ人は、カメラ本体後面に設けられた小さい光学式ビューファインダーではなく、カメラ本体側面の大型液晶モニターを２個の平面ミラー反射を経て後方かつ上方から正像を見ながら水中撮影できるため、撮影内容確認を容易にし、失敗のない撮影を可能にする。また、水中ハウジング自体は張り出し部分のない簡単なボックス構造とすることができるため、水中ハウジング自体の製造コスト及び価格を低減できる。これにより、ダイバーはダイビング記録を手軽にかつ安価に楽しむことができるようになり、ひいてはダイバー人口増加及びマリン業界の振興に役立つ。
【図面の簡単な説明】
【００１６】
【図１】本考案によるアタッチメントと、ビデオカメラを収納しこのアタッチメントを固定する水中ハウジングとを個別に示す斜視図である。
【図２】アタッチメントを水中ハウジングに固定した状態を示す図１と同様の斜視図である。
【図３】本考案によるアタッチメントのフランジにおける横断面図である。
【図４】本考案によるアタッチメントを側面の開口部側から見た斜視図である。
【符号の説明】
【００１７】
　１　水中ハウジング用モニターアタッチメント
　２　液晶モニター
　３　ビデオカメラ
　４　水中ハウジング
　５　フランジ
　６　後側壁
　７　前側壁
　８　側面開口部
　９　第１平面ミラー
１０　第２平面ミラー
１１　頂壁
１２　頂面開口部
【図１】
0003099562.tif 000003
【図２】
0003099562.tif 000004
【図３】
0003099562.tif 000005
【図４】
0003099562.tif 000006
【手続補正書】
【提出日】平成15年9月25日(2003.9.25)
【手続補正１】
【補正対象書類名】実用新案登録請求の範囲
【補正対象項目名】全文
【補正方法】変更
【補正の内容】
【実用新案登録請求の範囲】
【請求項１】
　折り畳み式かつ外向き反転可能な液晶モニターをカメラ本体の側面に横付けしたビデオ
カメラを防水保護する水中ハウジングに固定するモニターアタッチメントにおいて、側面
をほぼ台形に包囲するボックス型のフレームであって、横断面で見た台形形状の底辺側の
フレーム側面に側面外向き状態にした液晶モニターにほぼ対応する形状の側面開口部を設
け、前記フレームの後側壁内面には前記カメラ本体の底面には直交するが前記カメラ本体
側面に対して鋭角の角度をなすよう前記液晶モニターに対向させた第１平面ミラーを設け
、前記後側壁内面に対向する前記フレームの前側壁内面には前記カメラ本体側面に直交す
るが手前かつ上向きの第２平面ミラーを設け、頂壁には前記第２平面ミラーを見通すこと
ができる頂面開口部を設けたフレームにより構成したことを特徴とするビデオカメラの水
中ハウジング用モニターアタッチメント。
【請求項２】
　前記フレームの底面を開口部のない底壁により閉鎖した請求項１記載のビデオカメラの
水中ハウジング用モニターアタッチメント。
【請求項３】
　横断面で見た台形形状の底辺側のフレーム側面に、水中ハウジングの側面に対して平行
なフランジを設け、このフランジに面ファスナーの一方の半部を取り付け、水中ハウジングの対応位置に設けた面ファスナーの他方の半部に取り付け、面ファスナー半部相互の絡み合いによって固定する請求項１記載のビデオカメラの水中ハウジング用モニターアタッチメント。
【請求項４】
　横断面で見た台形形状の底辺側のフレーム側面に、水中ハウジングの側面に対して平行
なフランジを設け、このフランジを水中ハウジングの側面にＬ字状に設けた案内レールに
掛合して固定する請求項１又は２記載のビデオカメラの水中ハウジング用モニターアタッ
チメント。
【手続補正２】
【補正対象書類名】明細書
【補正対象項目名】０００７
【補正方法】変更
【補正の内容】
【０００７】
本考案の好適な実施の形態においては、横断面で見た台形形状の底辺側のフレーム側面に、水中ハウジングの側面に対して平行なフランジを設け、このフランジに面ファスナーの一方の半部を取り付け、水中ハウジングの対応位置に設けた面ファスナーの他方の半部に取り付けて固定する横断面で見た台形形状の横断面で見た底辺側の面ファスナーの一方の半部を取り付け、水中ハウジングの対応位置に設けた面ファスナーの他方の半部に取り付けて固定する。
【手続補正３】
【補正対象書類名】明細書
【補正対象項目名】００１１
【補正方法】変更
【補正の内容】
【００１１】
この固定は任意の方法で行うことができる。例えば、アッタチメント１の水中ハウジング４に当接する側の側面に設けた外方に突出するフランジ５に、図示はしないが、面ファスナーの一方の半部を取り付け、面ファスナー半部相互の絡み合いによって固定する。また、フランンジ５を水中ハウジング４の側面にＬ字状に設けた案内レール（図示せず）に掛合して固定することもできる。